(57)【特許請求の範囲】
【請求項１】
ブランクを折り畳んで組み立てられ、湾曲した棒状ないし板状の部材を複数個両端側を下降させた状態で収納できるように、中央部は平坦な平底で、その左右に外側へ下降傾斜した傾斜底が連設され、該傾斜底の下端縁に左右側壁が立設され、該平底の前後に前後側壁が立設されるとともに、該傾斜底の前後に継壁が立設され、該左右側壁の上端に該傾斜底と同じ傾斜の蓋が連設された包装箱であって、該ブランクは、平底片１の左右にそれぞれ傾斜底片２、左右側壁片３、蓋片４が順次連設され、平底片１の前後端に前後側壁片５が連設され、左右側壁片３の前後端に傾斜底２の前後端に立設される継壁片６が連設され、該継壁片６は、前後側壁５Ａに止着されたことを特徴とする包装箱。
【請求項２】
前記継壁片６は、下端を傾斜底面より突出するように形成し、上端は包装箱を積み重ねたとき該突出部に嵌合するように凹部を形成したことを特徴とする請求項１に記載の包装箱。
【請求項３】
前記前後側壁片５には、前記継壁片６を止着するため、水平な二重折り目Ｆを介して連結片７が設けられ、該連結片７は垂直方向の二重折り目Ｇを介して折り曲げ可能とし、前後側壁片５の上端部に設けた係止孔５ａおよび継壁片６に設けた係止孔６ｄの両者に係止する係止片７ｂを備えたことを特徴とする請求項１または請求項２に記載の包装箱。
【請求項４】
前記左右側壁片３に連設される継壁片６は、立設したとき下端部が水平になるように形成したことを特徴とする請求項１記載の包装箱。
【発明の詳細な説明】
【技術分野】
【０００１】
本発明は、湾曲した棒状や板状の部材を複数個収納する包装箱に関するものである。
【背景技術】
【０００２】
従来、自動車のワイパーブレード等の湾曲した棒状の部材を包装箱に収納して輸送する場合には、通常、湾曲した部材を複数個束ねるか、専用の保持具を作ってこれに複数本保持して、ダンボール製などの包装箱に収納している。輸送する部材が湾曲状であるため、デットスペースが大きく、輸送効率が悪いという問題が指摘されている。
【０００３】
湾曲した棒状ないし板状の部材をできるだけデットスペースを少なくして収納する包装箱に関する従来技術は、ほとんどなく、湾曲した棒状部材を複数個保持する保持器を工夫したもの（特許文献１参照）しか見当たらない。
特許文献１の包装箱は、円弧状の複数の部材を同一方向と、反対方向に配置して保持具に保持し、これを包装箱へ収容するようにしたものである。
【先行技術文献】
【特許文献】
【０００４】
【特許文献１】特開平２０１１-２０７４９３公報
【発明の開示】
【発明が解決しようとする課題】
【０００５】
特許文献１の包装箱は、湾曲した棒状の部品を互いに干渉しないように隙間を少なくして保持具に保持することにより、デットスペースを減らすようにしている。しかしながら、輸送中の振動や揺れによって部品が干渉しないように、各部品をしっかり固定する必要があり、このため、保持具の費用が嵩み、部品の収納保持にも時間がかかるという難点がある。
【０００６】
本発明は、湾曲した棒状の部材を複数個収納するデットスペースの少ない包装箱を提供することを目的としている。
【課題を解決するための手段】
【０００７】
上記の目的を解決するため、本発明の包装箱は、次のように構成した。すなわち、ブランクを折り畳んで組み立てられ、湾曲した棒状ないし板状の部材を複数個両端側を下降させた状態で収納できるように、中央部は平坦な平底で、その左右に外側へ下降傾斜した傾斜底が連設され、該傾斜底の下端縁に左右側壁が立設され、該平底の前後に前後側壁が立設されるとともに、該傾斜底の前後に継壁が立設され、該左右側壁の上端に該傾斜底と同じ傾斜の蓋が連設された包装箱であって、該ブランクは、平底片１の左右にそれぞれ傾斜底片２、左右側壁片３、蓋片４が順次連設され、平底片１の前後端に前後側壁片５が連設され、左右側壁片３の前後端に傾斜底２の前後端に立設される継壁片６が連設され、該継壁片６は、前後側壁５Ａに止着されたことを特徴としている。
【０００８】
この包装箱は、湾曲した棒状ないし板状の部材を複数個収納するもので、部材は複数個束ねるか適当な保持具に保持し、部材の両端側が下降した状態とする。包装箱は、その外形に沿うように、中央部が平坦でその両側が下降傾斜した底面とし、傾斜底の上方は該傾斜底と同じ角度の傾斜の蓋が設けられており、安定した積み重ねができる。平底の前後端には前後側壁が立設され、傾斜底の前後端は継壁が立設される。なお、平底の上方は、開放してもよい。
【０００９】
また、ブランクは、平底片１の左右にそれぞれ傾斜底片２、左右側壁片３、蓋片４が順次連設され、平底片１の前後端に前後側壁片５が連設され、左右側壁片３の前後端に傾斜底２の前後端に立設される継壁片６が連設され、該継壁片６は、前後側壁５Ａに止着する。なお、材料は段ボールに限定しない。
また、継壁片６は、請求項２に記載のように、下端を傾斜底面より突出するように形成し、上端は包装箱を積み重ねたとき該突出部に嵌合するように凹部を形成するのが望ましい。
【００１０】
継壁６Ａを前後側壁５Ａに止着する手段は、例えば、貼着やテープで固着してもよいが、請求項３に記載のように、前後側壁片５に、水平な二重折り目Ｆを介して連結片７を設け、該連結片７は垂直方向の二重折り目Ｇを介して折り曲げ可能とし、前後側壁片５の上端部に設けた係止孔５ａおよび継壁片６に設けた係止孔６ｄの両者に係止する係止片７ｂを備えるのが望ましい。
また、包装箱の安定性を良くするため、請求項４に記載のように、左右側壁片３に連設される継壁片６は、立設したとき下端部が水平になるように形成するとよい。
【発明の効果】
【００１１】
本発明の包装箱は、ブランクを折り畳んで組み立てられ、湾曲した棒状ないし板状の部材を複数個両端側を下降させた状態で収納できるように、中央部は平坦な平底で、その左右に外側へ下降傾斜した傾斜底が連設され、該傾斜底の下端縁に左右側壁が立設され、該平底の前後に前後側壁が立設されるとともに、該傾斜底の前後に継壁が立設され、該左右側壁の上端に該傾斜底と同じ傾斜の蓋が連設された包装箱であって、該ブランクは、平底片１の左右にそれぞれ傾斜底片２、左右側壁片３、蓋片４が順次連設され、平底片１の前後端に前後側壁片５が連設され、左右側壁片３の前後端に傾斜底２の前後端に立設される継壁片６が連設され、該継壁片６は、前後側壁５Ａに止着されているので、簡便に包装箱を作ることができ、積み重ねたとき、従来の包装箱に比べ、高さを低く抑えることができる。
したがって、例えば、海上コンテナに収納して輸出するような場合、積み重ね個数を多くすることができ、収納量が増加し、輸送コストを軽減できる。
【００１２】
また、請求項２に記載のように、継壁片６は、下端を傾斜底面より突出するように形成し、上端は包装箱を積み重ねたとき該突出部に嵌合するように凹部を形成すれば、積み重ねた時に、前後左右の位置が固定され輸送中の振動などでズレることが防止される。
また、請求項３に記載のように、前後側壁片５には、水平な二重折り目Ｆを介して連結片７を設け、該連結片７は垂直方向の二重折り目Ｇを介して折り曲げ可能とし、前後側壁片５の上端部に設けた係止孔５ａおよび継壁片６に設けた係止孔６ｄの両者に係止する係止片７ｂを備えると、接着などの固着作業を必要とせず組み立てや分解が容易である。
さらに、請求項４に記載のように、左右側壁片３に連設される継壁片６を、立設したとき下端部が水平になるように形成すれば、地上へ置いたときの包装箱の安定性が極めてよい。
【図面の簡単な説明】
【００１３】
【図１】本発明の包装箱の実施の形態を示す斜視図である。
【図２】同、包装箱の展開図である。
【図３】同、包装箱を組み立てる途中の状態を示す斜視図である。
【図４】同、包装箱を組み立てる途中の状態を示す斜視図である。
【図５】同、湾曲した棒状部材を保持具に保持した状態を示す側面図である。
【図６】同、包装箱を積み重ねた状態を示す側面図である。
【図７】従来の包装箱（ａ）と、本願の包装箱（ｂ）とを比較した説明図である。
【発明を実施するための形態】
【００１４】
本発明の包装箱の実施の形態を、図１〜図６に基づいて説明する。
ここでは、湾曲した部材を、自動車のワイパーブレード１２として、複数個を保持具１０に保持し、これを収納するようにした包装箱で説明する。
図１は、包装箱２００の全体を示す斜視図、図２は、包装箱２００の展開図である。また、図３および図４は、包装箱２００を折りあげる途中の状態を示す斜視図である。図５は、保持具１０にワイパーブレード１２を複数個保持させた状態を示す側面図である。また、図６は、包装箱を積み重ねた状態を示す側面図である。
【００１５】
包装箱２００は、図１に示すように、中央部に平底１Ａと、これの左右に連設された傾斜底２Ａと、その端部に立設した左右側壁３Ａと、平底１Ａの前後に立設された前後側壁５Ａと、傾斜底２Ａの前後に立設された補助壁６Ａと、傾斜底２Ａの上部を覆う蓋４Ａとから構成されている。
保持具１０が載置される平底１Ａの上方は開放されており、傾斜底２Ａは外側へ下降傾斜しており、蓋４は、左右側壁３Ａの上端に連設され傾斜底２Ａと同じ角度で下降傾斜している。包装箱２００の概略の大きさは、ここでは、６８０ｍｍ×５４０ｍｍ×２６０ｍｍで、平底１Ａは、地上から９５ｍｍの高さとしている。
【００１６】
保持具１０は、図５に示すように、発泡スチロール製のブロックで、３分割されており、分割面に形成した保持溝１１にワイパーブレード１２の中央部を保持するようにしている。ワイパーブレード１２の両端側は保持具１０から露出し下降傾斜した状態である。
【００１７】
包装箱２００は、図２に示すブランク１００を、折り目に沿って折り曲げることによって、組み立てられる。なお、ブランク１００の材質は、ここでは、段ボールとしている。
ブランク１００は、中央に形成された矩形の平底片１と、折り目Ａを介して連設された傾斜底片２と、折り目Ａに平行に設けた折り目Ｂ、Ｃによって、形成された左右側壁片３と、蓋片４が連設されている。そして、折り目Ａ、Ａに対して直角方向に設けられた折り目Ｅと、折り目Ｂ、Ｃに対して直角方向に設けられた折り目Ｄによって、前後側壁片５と継壁片６が形成されている。
【００１８】
前後側壁片５には、折り目Ｅと平行な二重折り目Ｆが設けられ、係止片７が形成されている。係止片７は、切れ目ｎによって中央から分離し二重折り目Ｆと垂直方向に二重折り目Ｇがそれぞれ設けられている。また、係止片７には平底片１に設けた係止孔１ａに差し込まれる凸片７ａと、継壁片６の係止孔６ｄおよび前後側壁片５の係止孔５ａに係止する係止片７ｂが設けられている。
【００１９】
継壁片６は、折り目Ｂと折り目Cの延長上に伸び、途中から蓋片４寄りに傾斜し、凹部６ｅと突出部６ｆを形成している。そして、継壁片６には、差込部６ｂが形成されており、その端部に縦の折り目Ｊを介して受片６ｃが設けられ、折り目Ｊ上には係止孔６ｄが設けられている。また、継壁片６には、フラップ６ａを形成する斜めの折り目Ｈが設けられ、折り目Ｈ上には、蓋片４に突設した差込片４ａが嵌入するための切れ目ｓが設けられている。
【００２０】
次に、図２に示すブランク１００を折り目に沿って折り曲げて、包装箱２００を組み立てる手順について説明する。
ブランク１００の垂直方向の折り目Ａを山折りし、折り目Ｂ、Ｃを紙面手前側へ折り曲げ、また、水平方向の折り目Ｄ、Ｅと二重折り目Ｆを紙面手前側へ折り曲げ、二重折り目Ｇと折り目Ｈを紙面手前側へ折り曲げて折り癖を付ける。
【００２１】
次に、前後側壁片５を垂直に立て、一方（紙面左側）の継壁片６を垂直に立てて、端部の差込部６ｂが前後側壁５の手前に位置するようにする（図３参照）。そして、受片６ｃの折り目Ｊを手前側へ折り曲げ、連結片７を二重折り目Ｆから紙面手前側へ折り曲げながら縦の二重折り目Ｇを内側へ折り曲げる（図４参照）。これにより、係止孔５ａと係止孔６ｄの位置が一致するので、これに係止片７ｂを嵌合係止する。そして、連結片７の下部は凸片７ａが係止孔１ａに嵌合する。これで、継壁片６は、前後側壁５にしっかりと止着される。
続いて、上記と同じ手順で紙面手前側の継壁片６を立設して前後側壁５に止着する。そして、蓋片４の差込片４ａをフラップ６ａの切れ目ｓへ嵌合させれば、紙面左側が完成する。
続いて、上記と同じ手順で紙面右側を組み立てれば、図１の包装箱２００が完成する。
【００２２】
この包装箱２００へ図５に示す保持具１０にワイパーブレード１２を保持させたものを収納する場合は、蓋４を開き、平底１Ａ上にブロック状の保持具１０を載置する。保持具１０の上端面は前後側壁５Ａの上端と一致しており、ワイパーブレード１２は中央部のみ保持具１０に保持され、両端部は保持具１０の外へ突出し、傾斜底２Ａ上の空間に位置している。なお、継壁６Ａの下端は傾斜底２Ａより突出し水平に形成され、上端は積み重ねられる包装箱の継壁６Ａの下端に嵌合するように凹部６ｅが形成されている。また、嵌合できるように、蓋４Ａの端部４ｂは、差込片４ａより下方（左右側壁３Ａ寄り）を削いでいる。また、図５において、一点鎖線は、包装箱２００の外形を示している。
【００２３】
図６は、包装箱を積み重ねた状態を示しており、積み重ねられる包装箱は、平底１Ａおよび傾斜底２Ａが、下の包装箱の保持具１０の上面および傾斜した蓋４Ａの全面で支持するので、安定した積み重ねができる。また、継壁６Ａの下端は水平で、積み重ねられる包装箱２００の下端は、継壁６Ａの上端に嵌合するので、前後左右とも位置が固定され、振動などによってズレることがない。
【００２４】
図７は、本発明の包装箱を従来の包装箱と比較したもので、（ａ）はワイパーブレードを収納し３段に積み重ねた従来の包装箱の状態を示し、（ｂ）は、本発明の包装箱２００を４段に積み重ねた状態を示している。すなわち、３段積みの場合、従来の包装箱では高さがｈ１であるが、本発明の包装箱では、ｈ２と低く、ｈ１の高さでは４段積み重ねができる。なお、包装箱へは同量のワイパーブレードを収納したものとして比較している。
【００２５】
なお、上記の実施の形態においては、複数個の湾曲部材を保持具に保持したものとしたが、特に保持具を使用しなくてもよい。また、発明の内容をより理解しやすくするために、包装箱の大きさを寸法を示して説明したが、これに限定するものでないことは当然である。
【符号の説明】
【００２６】
１００  ブランク
２００  包装箱
１Ａ  平底      １  平底片        １ａ  係止孔
２Ａ  傾斜底    ２  傾斜底片
３Ａ  左右側壁  ３  左右側壁片
４Ａ  蓋        ４  蓋片      
４ａ  差込片    ４ｂ  端部
５Ａ  前後側壁  ５  前後側壁片    ５ａ  係止孔
６Ａ  継壁      ６  継壁片        ６ａ  フラップ
６ｂ  差込部    ６ｃ  受片        ６ｄ  係止孔
６ｅ  凹部      ６ｆ  突出部
７  連結片      ７ａ  凸片        ７ｂ  係止片
１０  保持具
１１  保持溝
１２  湾曲した棒状部材（ワイパーブレード）
Ａ、Ｂ、Ｃ、Ｄ  折り目
Ｅ、Ｆ、Ｇ，Ｈ、Ｊ  折り目
ｎ、ｓ    切れ目
【図１】
0006804028.tif 000002
【図２】
0006804028.tif 000003
【図３】
0006804028.tif 000004
【図４】
0006804028.tif 000005
【図５】
0006804028.tif 000006
【図６】
0006804028.tif 000007
【図７】
0006804028.tif 000008